(57)【特許請求の範囲】
【請求項１】
装着状態では、大腿部部分、膝関節部部分及び下腿部部分に巻き付けて被覆する弾力性布からなる本体（１）と、大腿部部分から膝関節部部分を経て下腿部部分にわたる部分を覆うように本体（１）を固定した装着位置において脚の内外両側部に当たる本体（１）の部分にそれぞれ大腿部部分上方から下腿部部分下方にわたり配置したヒンジ式ステー（１２、１３）とを備え、各ヒンジ式ステー（１２、１３）の大腿部部分に対応する部分（１２ａ、１３ａ）と下腿部部分に対応する部分（１２ｂ、１３ｂ）とは本体（１）の内側に配置すると共に、各ヒンジ式ステー（１２、１３）は各ヒンジ部（１６、１７）の所で本体（１）の各切り込み（２９、３０；３２、３３）を貫通して本体の外側に出ており、さらに本体の内側に配置した各ヒンジ式ステー（１２、１３）の部分の肌側に本体（１）に固定されるようにそれぞれパッド（２５、２６；２７、２８）を配置したことを特徴とする膝装具。
【請求項２】
各ヒンジ式ステー（１２、１３）の本体（１）の内側に配置した部分はそれぞれステーカバー（２１、２２；２３、２４）に包まれ、各ステーカバー（２１、２２；２３、２４）の肌側に本体（１）に固定されるようにそれぞれパッド（２５、２６；２７、２８）を配置したことを特徴とする請求項１記載の膝装具。
【発明の詳細な説明】
【０００１】
【産業上の利用分野】
本発明は、膝関節疾患の治療に使用する膝装具に関する。
【０００２】
【従来の技術】
種々の膝関節疾患の治療に使用する膝装具の一つとして、弾力性布からなる本体を、膝関節を中心として大腿部から下腿部にかけ巻き付けるものがあるが、この本体の支持力を高めるため、脚の内外側部に当たる本体の部分に大腿部から下腿部へ延びるステーを固定することが行われている。このステーに、上下２つの部分に分け、両部分を膝関節のとろでヒンジ結合して回転可能とし、強度の高い材料で形成したものがある。このようなヒンジ式ステーを有する膝装具の一例を図８に示す。図８ａ、ｂは展開状態にして見たそれぞれ正面図、背面図を示し、１は弾力性の布地からなるほぼ四角形状の本体で、上辺２は下辺３より若干長く形成され、その左右側辺４、５のほぼ中央には横Ｕ字状の凹所６、７を備え、また本体１のほぼ中心部の開口８に薄い当て布９を備え、本体１の凹所６、７、当て布９より上にある部分は大腿部部分を覆い、凹所６、７、当て布９より下にある部分は下腿部部分を覆い、凹所６、７、当て布９にある部分は両凹所６、７が膝蓋骨部、当て布９が膝窩部上に位置して膝関節部分を覆うようになっている。本体１の一方の側辺、例えば左側辺４は、大腿部部分に切り込み１０が設けられ２分割され、内側には上下にそれぞれ面ファスナー１１が設けられている。本体１の表側で開口８の左右にはステー１２、１３を内部に収納したステーカバー１４、１５がそれぞれ大腿部部分、下腿部部分に相当する部分に取り付けられ、ステー１２、１３のステーカバー１４、１５より露出しているヒンジ部１６、１７は保護カバー１８、１９で覆われている。２０は本体１のフィット性を良好にするため設けたダーツである。
【０００３】
上述のような膝装具においては、本体の外側にステーが存在しステーの上から本体に対し押圧力を加えるものがないためステーの脚に対するフィット性、特に脚の屈曲時の大腿部に対するフィット性に欠け、この種の膝装具の特に横ぶれを防止する機能を十分に果たすことができない。この点を解決するため、ステーカバーにストラップを設け、このストラップを本体上に固定してステーの支持力を補助する方法があるが、装具の取付操作に手数がかかり、ストラップにより一部にのみ力がかかるため本体に歪みを生じ、装具の厚さが増し通気性が悪くなる等の欠点がある。また、本体の係止部を長くしてステーの外側を通るようにしてステーの外側から押圧力を作用させる方法もあるが、やはり取付操作に手数がかかり、装具の厚さが増し通気性が悪くなるという欠点は免れ得ない。
【０００４】
【発明が解決しようとする課題】
本体の課題は、フィット性、圧迫・支持・固定性が良好で、しかも取付操作の簡単な膝装具を提供することにある。
【０００５】
【課題を解決するための手段】
上述の課題を解決するため、本発明においては、装着状態では、大腿部部分、膝関節部部分及び下腿部部分に巻き付けて被覆する弾力性布からなる本体と、大腿部部分から膝関節部部分を経て下腿部部分にわたる部分を覆うように本体を固定した装着位置において脚の内外両側部に当たる本体の部分にそれぞれ大腿部部分上方から下腿部部分下方にわたり配置したヒンジ式ステーとを備え、各ヒンジ式ステーの大腿部部分に対応する部分と下腿部部分に対応する部分とは本体の内側に配置すると共に、各ヒンジ式ステーは各ヒンジ部の所で本体の各切り込みを貫通して本体の外側に出ており、さらに本体の内側に配置した各ヒンジ式ステーの部分の肌側に本体に固定されるようにそれぞれパッドを配置する。
【０００６】
【発明の実施の形態】
本発明においては、ヒンジ式ステーは大腿部に対応する部分と、下腿部に対応する部分とがそれぞれ別個のステーカバーにより包まれ、ヒンジ部の個所で本体を貫通し、ステーカバーの肌側にパッドが存在するのが好ましい。
【０００７】
パッドは本体に固定するのが好ましいが、ステーカバーはパッドに固定してもよいし、或いは本体に直接固定してもよい。
【０００８】
【実施例】
次ぎに本発明の実施例を図面について説明する。
【０００９】
図１のａ、ｂは本発明の実施例を展開状態にして見たそれぞれ正面図、背面図で、ａは表側、即ち体に接する側と反対側、ｂは裏側、即ち体に接する側を示し、図２は図１ａのＡ−Ａ線に沿う断面図、図３は図１ｂのＢ−Ｂ線に沿う断面図、図４は図１ｂのＣ−Ｃ線に沿う断面図で、図８と同等部分には同符号が付されている。この実施例のヒンジ式ステー１２の大腿部に対応する部分１２ａ、下腿部に対応する部分１２ｂは、それぞれステーカバー２１、２２により覆われ、ヒンジ式ステー１３の大腿部に対応する部分１３ａ、下腿部に対応する部分１３ｂは、それぞれステーカバー２３、２４により覆われている。各ステーカバー２１、２２、２３、２４の肌側には、ステーカバーを覆うようにパッド２５、２６、２７、２８が本体１の内側に固定されている。なお、ステーカバーは図３に示すようにパッドに固定してもよいし、図４に示すように本体に直接固定してもよい。ヒンジ式ステー１２はヒンジ部１６の所で本体１の切り込み２９、３０を貫通して本体１の外側に出ており、ヒンジ部１６は保護カバー３１で覆われ、ヒンジ式ステー１３はヒンジ部１７の所で本体１の切り込み３２、３３を貫通して本体１の外側に出ており、ヒンジ部１７は保護カバー３４で覆われている。
【００１０】
図５ａ、ｂは、ステーカバーの一例のそれぞれ正面図、断面図である。このステーカバーは、２枚の部材３５、３６を例えば破線で示す個所３７で縫製して鞘状に形成し、一端３８はステーを挿入するため開口している。部材３５、３６の一方は他方より若干大きく形成し、その大きい方の食み出た部分でパッド又は本体に縫製等で固定するようにすると有利である。なお、ステーカバーはその全周で固定するよりも部分的に、例えば一側辺、又は一側辺と一端部とで固定する方が本体部分が伸縮し易く好ましい。
【００１１】
図６ａ、ｂは、パッドの一例のそれぞれ正面図、断面図である。パッドは本体より柔らかい材質の例えば一枚の部材３９からなり、ステーカバーを覆うだけの大きさを有し、例えばその側方の破線で示す個所４０で本体の内側に縫製等の手段で固定され、その内部にステーを保持し、肌をステーからの衝撃から保護し得るようになっている。
【００１２】
次に図１に示す本発明の膝装具の装着方法を図７ａ、ｂについて説明する。なお図７ａは装着状態におけるそれぞれ正面図、図７ｂはその側面図である。装着に当たっては、本体１の裏側を脚の後側から当て、開口８、当て布９が膝窩上に位置し、上辺２が後大腿部上に、下辺３が後下腿部上に位置し、ステー１２、１３がそれぞれ大腿部より下腿部の左右側に沿って位置するようにし、左右側辺４、５を脚の前側に回し、右側辺５を下にしてその上に左側辺４を重ね、面ファスナー１１を本体１上に係止させる。なおこの場合、左側辺４に設けた切り込み１０を利用して側辺４を部分的に本体１上に固定し、両側辺４、５の相互位置を調整して最終位置に固定するようにすると装着が容易である。このようにして本体１の左右側辺４、５を前で重ね合わせることにより側辺４、５の凹所６、７は膝蓋部を囲むように一つの開口を形成し、ステーカバー２１、２２に挿入されたヒンジ式ステー１２は大腿部から下腿部の左側方上にパッド２５、２６を介して位置し、ステーカバー２３、２４に挿入されたヒンジ式ステー１３は大腿部から下腿部の右側方上にパッド２７、２８を介して位置し、またヒンジ式ステー１２のヒンジ部１６は保護カバー３１に包まれて本体１の外側で膝関節部の左側方上に位置し、ヒンジ式ステー１３のヒンジ部１７は保護カバー３４に包まれて本体１の外側で膝関節部の右側方上に位置する。
【００１３】
本体、ヒンジ式ステーについては従来の膝装具に使用しているものと同様のものを使用することができる。本体は、大腿部部分と下腿部部分とを覆いかつ両側辺を重ねて締結し得るだけの幅を有し、例えば伸縮フレンチパイル、圧縮ウレタン、ポリエステルジャージの三層構造で構成することができる。ヒンジ式ステーは金属製、プラスチック製、ＦＲＰ製などからなり、膝の屈曲に応じてヒンジ部を支点として曲がり得るようになっており、ステーカバー、ヒンジ部の保護カバーとしては非伸縮性で腰のある柔軟なシートが好ましく、例えば皮革、合成皮革、綿、ナイロン等各種のものを使用することができる。パッドは本体よりも柔らかくステーによる肌への衝撃力を吸収し得る材質のもので、例えば発泡ウレタンを使用することができる。
【００１４】
本発明の膝装具には更に従来のものに使用している各方式の締付ベルトを同様に取り付けることもできる。また、ヒンジ式ステーの形状についても図の実施例に限らず各種のもの、例えば大腿部、下腿部に当たる部分が広がって大きい面を持つものを使用することもできる。
【００１５】
【発明の効果】
本発明によれば、本体を患部に固定するための圧迫力がそのままヒンジ式ステーのヒンジ部を除く全体の部分に作用するから、膝装具のフィット性、圧迫・支持・固定性が従来より著しく向上し、装着性が良好となり、患部の治療に貢献するものである。
【図面の簡単な説明】
【図１】本発明の実施例の、ａは正面図、ｂは背面図である。
【図２】図１のＡ−Ａ線に沿う断面図である。
【図３】図１のＢ−Ｂ線に沿う断面図である。
【図４】図１のＣ−Ｃ線に沿う断面図である。
【図５】本発明のステーカバーの一実施例の、ａは正面図、ｂは断面図である。
【図６】本発明のパッドの一実施例の、ａは正面図、ｂは断面図である。
【図７】本発明の実施例の装着状態における、ａは正面図、ｂは側面図である。
【図８】従来の膝装具の一例の、ａは正面図、ｂは背面図である。
【符号の説明】
１  本体
２  上辺
３  下辺
４、５  側辺
６、７  凹所
８  開口
９  当て布
１０  切り込み
１１  面ファスナー
１２、１３  ヒンジ式ステー
１２ａ、１３ａ  ステーの大腿部に対応する部分
１２ｂ、１３ｂ  ステーの下腿部に対応する部分
１６、１７  ヒンジ部
２１、２２、２３、２４  ステーカバー
２５、２６、２７、２８  パッド
２９、３０、３２、３３  本体の切り込み
３１、３４  保護カバー
３５、３６  ステーカバーの部材
３８  ステーカバーの開口
３９  パッドの部材
４０  パッドの固定個所
【図１】
0003932304.tif 000002
【図２】
0003932304.tif 000003
【図３】
0003932304.tif 000004
【図４】
0003932304.tif 000005
【図５】
0003932304.tif 000006
【図６】
0003932304.tif 000007
【図７】
0003932304.tif 000008
【図８】
0003932304.tif 000009